(57)【要約】【課題】プロジェクタスタンドとしても使用することができるプロジェクタホルダを提供する。【解決手段】本体（１０２）と、少なくとも部分的に本体（１０２）内に配置されたプロジェクタであって、可視光を表面に投影するために使用可能であるプロジェクタと、を含む装置（１００）であって、本体（１０２）は、物体の外側に装置を取り付けるか又は装置を配置するために第１構成から第２構成に操作及び変形されるように構成された１つ又は複数の柔軟な付属物（１０４）を含む装置（１００）、及び対応する製造方法。ある実施形態では、本体（１０２）は動物の形状に形成される。【選択図】図１
2020201519.tif 000002
【特許請求の範囲】
【請求項１】
本体と、
前記本体内に少なくとも部分的に配置されたプロジェクタであって、可視光を表面に投影するために使用可能であるプロジェクタと、を含む装置であって、
前記本体は、物体の外側に前記装置を取り付けるか又は前記装置を配置するために第１構成から第２構成に操作及び変形されるように構成された１つ又は複数の柔軟な付属物を含む、装置。
【請求項２】
前記１つ又は複数の柔軟な付属物が曲折、ねじれ、巻き付き、湾曲及び直線化のうちの１つ又は複数を介して操作されるように適合される、請求項１に記載の装置。
【請求項３】
前記第１構成が前記第２構成と異なる、請求項１に記載の装置。
【請求項４】
前記本体がシリコーン及びゴム材料の少なくとも一方から形成される、請求項１に記載の装置。
【請求項５】
前記装置が前記本体内に配置された１つ又は複数の銅線を含み、前記１つ又は複数の銅線がヒートシンクである、請求項１に記載の装置。
【請求項６】
より多くの銅線上の前記１つが前記プロジェクタの周囲に及び前記１つ又は複数の付属物の中に延びる、請求項５に記載の装置。
【請求項７】
前記本体が動物の形状で形成される、請求項１に記載の装置。
【請求項８】
前記動物がサル、キリン、トラ、ライオン、恐竜、魚及びタコのうちの少なくとも１つである、請求項７に記載の装置。
【請求項９】
前記本体が、防水性又は耐水性の材料から、或いは防水性又は耐水性になるように処理された材料から形成される、請求項１に記載の装置。
【請求項１０】
前記本体が耐衝撃性の材料から形成される、請求項１に記載の装置。
【請求項１１】
前記プロジェクタに電力を供給するためのバッテリをさらに含む、請求項１０に記載の装置。
【請求項１２】
前記バッテリが充電可能である、請求項１１に記載の装置。
【請求項１３】
前記装置が、前記装置を１つ又は複数の周辺機器に接続するための１つ又は複数のポートを含む、請求項１に記載の装置。
【請求項１４】
前記１つ又は複数の周辺機器がバッテリチャージャ、スマートデバイス及びコンピュータのうちの１つを含む、請求項１３に記載の装置。
【請求項１５】
前記装置を前記１つ又は複数の周辺機器に接続するためのケーブルをさらに含む、請求項１３に記載の装置。
【請求項１６】
前記装置が、前記プロジェクタの動作を制御するための１つ又は複数のボタンを含む、請求項１に記載の装置。
【請求項１７】
前記１つ又は複数のボタンが電源ボタン、キーストン調整ボタン及び回転画像ボタンのうちの１つを含む、請求項１６に記載の装置。
【請求項１８】
前記装置に画像を供給するように構成された周辺機器と組み合わせた請求項１に記載の装置であって、前記装置が有線及び無線接続の少なくとも一方を介して前記周辺機器に接続される装置。
【請求項１９】
前記無線接続がBluetooth接続を含む、請求項１８に記載の組み合わせ。
【請求項２０】
装置を製造する方法であって、
１つ又は複数の柔軟な付属物を有する本体と、前記本体内に少なくとも部分的に配置されたプロジェクタと、を有する装置を形成することを含み、前記１つ又は複数の柔軟な付属物は、物体の外側に前記装置を配置するか又は前記装置を取り付けるために第１構成から第２構成に操作及び変形されるように構成される、方法。
【請求項２１】
前記装置を形成することが、プロジェクタを型の中に配置することと、前記１つ又は複数の柔軟な付属物を備えた前記本体を形成するために柔軟な材料を前記型の中に及び前記プロジェクタの周囲に流し込むことと、を含む、請求項２０に記載の方法。
【請求項２２】
前記柔軟な材料を前記型の中に流し込むことが、シリコーン及びゴム材料のうちの少なくとも一方を前記型の中に流し込むことを含む、請求項２１に記載の方法。
【請求項２３】
前記装置を形成することが、１つ又は複数の柔軟な付属物と、開口とを備えた前記本体を形成するために型の中に柔軟な材料を流し込むことを含み、前記柔軟な材料が硬化されると前記開口に前記プロジェクタが挿入される、請求項２０に記載の方法。
【発明の詳細な説明】
【技術分野】
【０００１】
関連出願の相互参照
本出願は、“PROJECTOR HOLDER”と題され２０１６年１２月１２日に出願された米国特許出願第１５／３７６，５１８号に基づく優先権を主張するものであり、前出の特許出願は、米国特許法第１１９条（ｅ）のもと、“PROJECTOR HOLDER”と題され２０１６年６月１７日に出願された米国仮特許出願第６２／３５１，５２７号に基づく優先権を主張するものである。上に挙げた文献のそれぞれの全体は参照により本明細書に組み込まれる。
【０００２】
開示される実施形態は、概してプロジェクタホルダに関し、詳細には、プロジェクタスタンドとしても使用することができるプロジェクタホルダに関する。
【背景技術】
【０００３】
典型的に、保護用プロジェクタホルダは、プロジェクタを損傷から保護するために、発泡体などのパッドを有するバッグ又は剛性ケースを含む。典型的なプロジェクタスタンドは、投影される画像を所望の高さで表示するためにプロジェクタを方向付けるべく使用される三脚又は他のプラットフォームを含む。プロジェクタは内蔵型スタンドを有する場合もある。
【発明の概要】
【０００４】
一態様によれば、装置は、本体と、本体内に少なくとも部分的に配置されたプロジェクタと、を含み、プロジェクタは、可視光を表面に投影するために使用可能である。本体は、物体の外側に装置を取り付けるか又は装置を配置するために、第１構成から第２構成に操作及び変形されるように構成された１つ又は複数の柔軟な付属物を含む。
【０００５】
別の態様によれば、装置を製造する方法は、１つ又は複数の柔軟な付属物を有する本体と、本体内に少なくとも部分的に配置されたプロジェクタとを有する装置を形成することを含む。１つ又は複数の柔軟な付属物は、物体の外側に装置を配置するか又は装置を取り付けるために、第１構成から第２構成に操作及び変形されるように構成される。
【０００６】
本開示はこの点に関して限定されないので、前述の概念、及び後述の追加の概念は、任意の適切な組み合わせで構成され得ることを理解されたい。
【０００７】
本教示の前述の及び他の態様、実施形態、及び特徴は、添付の図面と組み合わせた以下の記載からより完全に理解することができる。
【０００８】
添付の図面は一定の縮尺で描かれることを意図していない。図面中、様々な図に示されているそれぞれの同一又はほぼ同一の構成要素は、同様の数字で表されている。明確にするために、全ての構成要素が全ての図面で標識付けされ得るというわけではない。
【図面の簡単な説明】
【０００９】
【図１】一実施形態によるプロジェクタホルダの斜視図である。
【図２】別の実施形態によるプロジェクタホルダの正面図である。
【図３】一実施形態による物体の外側に配置されたプロジェクタホルダの側面図である。
【図４】別の実施形態による物体の外側に取り付けられたプロジェクタホルダの斜視図である。
【図５】図１のプロジェクタホルダの上面図である。
【図６】図１のプロジェクタホルダの正面図である。
【図７】図１のプロジェクタホルダの後面図である。
【図８】一実施形態によるバッテリチャージャに接続されたプロジェクタホルダを示す。
【図９】一実施形態によるプロジェクタの電気部品の例示的な配置である。
【図１０】プロジェクタホルダを使用する例示的な方法のフローチャートである。
【図１１】プロジェクタホルダを製造する例示的な方法のフローチャートである。
【図１２】プロジェクタホルダを製造する例示的な方法のフローチャートである。
【発明を実施するための形態】
【００１０】
知られているように、プロジェクタホルダは通常、プロジェクタを損傷から保護するために、発泡体などのパッドの中にプロジェクタを保持する保護バッグ又は剛性ケースを含む。そのようなホルダは典型的にかさばり、プロジェクタスタンドとしては使用されることができない。そのため、プロジェクタは、ホルダから取り出され、スタンド又は表面の上に配置され、１人又は複数の人々が画像を見ることを可能にする所望の高さで壁又はスクリーンなどの表面上に可視光が投射されるように方向付けられなければならない。例えば、プロジェクタは、ホルダから取り出され、テーブルの上に置かれ、可視光がテーブルより上の高さの壁に投影されるようにプロジェクタの前面が持ち上げられ得る。このような実施形態では、プロジェクタはもはや保護ホルダに収容されていないので、プロジェクタは使用中に損傷を受ける可能性がある。例えば、子供が誤ってプロジェクタを床に叩き落とした場合、プロジェクタが破損する可能性がある。液体がプロジェクタの上にこぼれた場合もプロジェクタが損傷する可能性がある。
【００１１】
可視光が所望の高さで表面に投影されるようにプロジェクタを方向付けるための様々な道具が知られている。例えば、プロジェクタの中には内蔵型のスタンドを有するものがあり、内蔵型のスタンドは、典型的にはプロジェクタの底部から伸びることができる１つ又は複数の足を含む。プロジェクタはまた、プロジェクタを方向付けるために、プロジェクタ、又は少なくともプロジェクタの前面を表面（例えば、テーブル又は地面）から持ち上げる様々なフレーム、三脚又は他のプラットフォームによって支持されてもよい。プロジェクタは、適切なマウントを使用して壁又は天井に取り付けることもできる。しかしながら、そのような既知の道具は、プロジェクタを平坦な表面上に、そして電源コンセントの近くに配置することに限定されている。さらに、それぞれのマウントを用いて天井及び／又は壁に固定されたプロジェクタはより永久的にそのようにされ、プロジェクタは、修理又は交換のためにのみ取り外し可能である。
【００１２】
出願人は、保護ハウジングと、光を表面に向かって投影するようにプロジェクタを方向付けるための器具との両方として機能するプロジェクタホルダを提供することによって、様々な利点が実現され得ることを認識した。そのために、本明細書に開示される実施形態は、プロジェクタが少なくとも部分的に配置される本体を有するホルダを含む。ある実施形態では、ホルダは耐衝撃性のある材料から形成される。ホルダは、防水性又は耐水性である材料、又は防水性又は耐水性であるように処理されている材料から形成されてもよい。出願人はまた、電源コンセントによって電力を供給される必要がないホルダを提供することによって利点が実現され得ることを認識している。例えば、ホルダは、ある実施形態において、（例えば、バッテリパック及び／又は電源コンセントを介して）充電可能であり得る電源（例えば、バッテリ）を含み得る。
【００１３】
出願人はまた、その物体が平らであるか及び／又は実質的に水平に方向付けられているかにかかわらず、任意の物体の外側に配置する、取り付ける、跨がせる、固定する又は他の方法で位置付けることができるプロジェクタホルダを提供することによって利点が実現され得ることを認識した。その目的のために、本明細書に開示される実施形態は、１つ又は複数の柔軟な付属品であって、物体の外側にホルダを配置する、ホルダを取り付ける又は他の方法でホルダを位置付けるために付属物を操作することによって（例えば、曲折、カーリング、ねじれ、直線化等によって）変形されるように配置された付属物を有する本体を備えるプロジェクタホルダを含む。そのような実施形態では、１つ又は複数の付属物は、ホルダを物体上に位置決めするために、第１構成から異なる第２構成に変形することができる。例えば、付属物は、ホルダを物体上に位置決めするために、真っ直ぐな構成から（例えば、曲げることによって）曲がった構成に変形することができる。理解されるように、全ての付属物は、ホルダを物体上に位置付けるために同じ第２構成に変形される必要はない。例えば、表面に光を投影するように物体上にホルダを位置決めするために、第１付属物は曲げられた構成に変形されてもよく、第２付属物はねじれた構成に変形されてもよく、第３付属物は全く変形されなくてもよい。
【００１４】
そのような実施形態では、付属物は、付属物がひび割れすることも他の方法で壊れることもなく変形され得るように十分に可撓性である柔軟な材料から形成され得る。付属物を形成するために使用される材料はまた、付属物が操作されない限り及び付属物が操作されるまで付属物が第１構成及び／又は第２構成を維持するように十分な形状保持性であり得る。
【００１５】
理解されるように、物体の形状又は電源コンセントへの近接度に関係なく、ホルダを任意の物体の上に配置、取り付け、又は他の方法で位置決めすることを可能にすることによって、及び、ホルダを耐衝撃性、防水性及び／又は耐水性にすることを可能にすることによって、本発明のある実施形態は、あらゆる環境又は状況において、屋内及び屋外の両方で、及び子供などのあらゆるユーザによって使用することができるホルダを提供することができる。例えば、ホルダを本棚に置いて、１０代の寝室の壁に画像を表示することができる。また、プロジェクタが落下した場合に又は突然雨が降り始めた場合にプロジェクタが損傷し得ることを心配せずに、ホルダは、木の側面に画像を表示するために、折りたたみ椅子又は木の枝に取り付けられた状態でキャンプ場で使用することもできる。
【００１６】
本明細書の目的のために、ホルダを物体の外側に取り付けることは、柔軟な付属物が、物体の外側に対してホルダを保持する第２構成に操作され変形されることを意味し得る。例えば、付属物は、ホルダが物体の外側からぶら下がる、及び／又は物体の外側につかまるように、湾曲した又はねじれた構成に操作され変形されてもよい。理解されるように、ホルダは、物体の外側に取り外し可能に取り付けることができる。例えば、ホルダはプロジェクタが表面に画像を表示するために使用される間椅子のアームの外側に取り付けられ、その後保管のために椅子のアームから取り外されてもよい。
【００１７】
本明細書における目的のために、ホルダを物体の外側に配置することは、１つ又は複数の柔軟な付属物が第２構成に操作され変形されて物体上に配置されることを意味し得る。例えば、テーブル上に配置するために、１つ又は複数の後部付属物を操作して曲がった構成に変形させることができ、もう１つの前部付属物を真っ直ぐな構成に操作することができる。理解されるように、１つ又は複数の付属物は、ホルダを表面に配置する前に操作され変形される必要はない。例えば、付属物が既に真っ直ぐな構成になっている実施形態では、ホルダは単にテーブルの上に置かれてもよい。
【００１８】
ここで図を参照すると、図１は、本出願の一態様によるプロジェクタホルダ１００を示す。この図に示すように、プロジェクタホルダ１００は、胴体１０３を有する本体１０２と、胴体１０３から外向きに延びる付属物１０４と、を含む。この図に示すように、ホルダ１００は、５つの付属物１０４を含むことができるが、ホルダはより多い又は少ない付属物を含むことができる。例えば、ホルダ１００は、他の実施形態では、１つ、２つ、３つ、又はそれ以上の付属物を含み得る。
【００１９】
付属物は、胴体１０３の１つ又は複数の面又は他の部分から外向きに延びることができる。例えば、図１に示すように、付属物は胴体１０３の頂部及び底部から外向きに延びることができる。他の実施形態では、付属物は、胴体の頂部のみ、底部のみ、又は他の面の１つ又は複数から（例えば、胴体の右面又は右面と左面）から外向きに延びてもよい。付属物はまた、胴体の縁部及び／又は角部から延びてもよい。
【００２０】
理解されるように、任意の適切な数の付属物が、胴体の所与の面又は他の部分から外向きに延びてもよい。例えば、ある実施形態では、図１に示されるように、１つの付属物１０４のみが胴体１０３のある面から（例えば、胴体の頂部から）延びることができる。他の実施形態では、２つ以上の付属物が胴体のある面から外向きに延びてもよい。例えば、図１において、４つの付属物が胴体の底部から外向きに延びている。さらに理解されるように、各胴部面又は他の部分から外向きに延びる付属物の数は同じでもよいが、外向きに延びる付属物の数は異なってもよい。
【００２１】
付属物はまた、胴体の面又は他の部分の任意の適切な位置に配置されてもよい。例えば、図１に示すように、付属物は胴体の底部及び頂部の周囲に配置されてもよい。他の実施形態では、付属物は面のうちの１つの中央に配置されてもよい。
【００２２】
ある実施形態では、図１に示されるように、付属物１０４は胴体１０３と一体的に形成されてもよい。他の実施形態では、１つ又は複数の付属物は胴体に取り外し可能に取り付けられてもよい。理解されるように、全ての付属物が胴体に取り外し可能に取り付けられる必要はなく、胴体と一体的に形成される必要もない。例えば、胴体は、４つの一体的に形成された付属物と一体的に形成されてもよく、及び胴体に取り外し可能に取り付け可能な第５付属物。
【００２３】
ある実施形態において、付属物１０４のうちの１つ又は複数は、付属物を操作することによって（例えば、曲げる、ねじる、湾曲させる、真っ直ぐにすること等によって）付属物を変形させるのに十分に柔軟な材料から形成される。材料はまた、付属物が操作されない限り及び付属物が操作されるまで付属物が第１構成及び第２構成を維持するように、十分に形状保持性であってもよい。ある実施形態において、付属物は、図１に示されるように、柔軟な第２材料で被覆された柔軟なワイヤ１１１などの柔軟な金属から形成される。例えば、付属物は、シリコーン又はゴム材料で被覆される銅線から形成されてもよい。ある実施形態では、ワイヤ１１１は、胴体１０３から付属物１０４の端部まで延びることができる。ワイヤ１１１は、任意の適切な直径、例えば、直径約１ｍｍ〜３ｍｍ、又は直径約２ｍｍを有することができる。
【００２４】
理解されるように、付属物は他の柔軟な第２材料で被覆された他の柔軟な金属（例えば、ワイヤ）から形成されてもよい。さらに理解されるように、付属物は被覆ワイヤから形成される必要がある。例えば、付属物は、形状保持プラスチックなどの他の柔軟な材料又は材料の組み合わせから形成されてもよい。
【００２５】
本体１０２の付属物１０４の全てが柔軟である必要はない。例えば、５つの付属物を有する実施形態では、４つの付属物のみが柔軟であり得る。他の実施形態では５つの付属物の全てが柔軟であり得る。さらに理解されるように、各付属物１０４の全長が柔軟である必要はない。例えば、ある実施形態では、付属物の半分、例えば、付属物の最も外側の部分のみが柔軟であり得るが、付属物全体が柔軟であってもよい。さらに、胴体部分は柔軟な材料から形成されてもよいが、柔軟ではない材料から形成されてもよい。
【００２６】
理解されるように、図１は、最初に操作によって付属物を変形させることなく、ホルダ１００が表面１１０などの物体の外側に配置された例を示し得る。例えば、図１の付属物は、真っ直ぐな構成であってもよく、したがって、単に表面１１０上に配置されていてもよい。図１はまた、４つの全ての付属物１０４が表面上に配置される前に操作されて真っ直ぐな構成に変形されている例を示し得る。
【００２７】
ある実施形態において、全ての付属物が表面１１０上にホルダを配置する前に操作及び変形されるわけではない。ある実施形態において、全ての付属物が同じ第２構成に操作及び変形されるわけではない。例えば、図３に示すように、後部付属物が（例えば、真っ直ぐな構成から）曲がった構成に操作され変形されている一方で前部付属物は真っ直ぐな構成にある。理解されるように、そのような例では、図３の前部付属物１０４ａは、（例えば、曲がった構成から）真っ直ぐな構成に操作され変形されたかもしれないが、それらはまた、既に真っ直ぐな構成であった可能性があるので、最初に操作されなかった。いったんホルダが表面１１０上に置かれると、可視光１１２が表面１１０より上の所望の高さに投影され得るようにホルダ１００の前面は持ち上げられる。
【００２８】
さらに別の実施形態では、付属物はホルダを表面の外側に取り付けるように操作され変形され得る。すなわち、付属物は、ホルダ１００を物体に対して保持するように第２構成に変形され得る。例えば、図４に示すように、付属物１０４は、付属物が椅子のアーム１１４の周りに巻き付けられ、ホルダの底部が椅子のアームの上面に対して保持されるように操作され変形されている。図４の付属物１０４の全てがホルダを椅子のアームに対して保持するために操作され変形されているが、他の実施形態では、付属物の全てが使用される必要はない。例えば、一実施形態では、ホルダを椅子のアームに保持するために２つの付属物のみを使用することができる。
【００２９】
図４の付属物は、ホルダが（例えば、胴体の底部が物体の上面に隣接した状態で）直立位置にあるように操作され変形されているが、ホルダ１００は他の位置で物体の外側に取り付けることもできる。例えば、ホルダは、プロジェクタの底部が物体の底部に隣接した状態で逆さまの位置に取り付けることができる。ホルダはまた、プロジェクタの底部が物体のある面に隣接した状態で胴体が垂直に位置付けられるように取り付けられてもよい。
【００３０】
図１に戻ると、ある実施形態では、プロジェクタ１０６は、本体１０２の胴体１０３内など、ホルダ１００の本体１０２内に配置することができる。ある実施形態では、示されるように、プロジェクタ１０４は本体１０２内に完全に配置される。他の実施形態では、プロジェクトは本体内に部分的にのみ配置されてもよい。例えば、プロジェクタ１０６の前面（例えば、レンズを有するプロジェクタの面）は、少なくとも部分的に本体１０２の外側に延在してもよい。
【００３１】
本明細書の目的のために、プロジェクタは、画像などの可視光を表面に投影する装置を含む。ある実施形態では、プロジェクタはレンズを介して可視光線を投影することができる。プロジェクタはレーザを介して画像を投影することもできる。理解されるように、プロジェクタは任意の適切なサイズを有してもよい。例えば、プロジェクタは、小型プロジェクタ又はフルサイズプロジェクタであり得る。プロジェクタは、表面に画像を投影するように構成されているスマートフォンなどのスマートデバイスを含むこともできる。プロジェクタは、二次元画像及び／又は三次元画像を表示することができる。プロジェクタはホログラフィック画像を表示することもできる。さらに理解されるように、画像はプレゼンテーションのスライドなどの静止フレームであってもよいし、動画であってもよい。
【００３２】
ある実施形態では、本体とプロジェクタが単一の一体型デバイスを形成するように、プロジェクタは本体と、例えば、胴体１０３及び付属物１０４の両方と一体に形成することができる。理解されるように、１つ又は複数の付属物が取り外し可能である実施形態では、プロジェクタは、胴体のみと一体的に形成されてもよい、又は胴体及び１つ又は複数の付属物と一体的に形成されてもよく、この際、１つ又は複数の付属物は同じく取り外し可能に取り付け可能である。
【００３３】
他の実施形態では、プロジェクタ１０６は本体１０２に取り外し可能に取り付けられてもよい。図２に示すように、本体１０２は、プロジェクタ１０４を挿入することができる開口１０８を含むことができる。他の実施形態と同様に、プロジェクタ１０６は、開口１０８内に完全に配置されてもよく、又は開口内に部分的にのみ配置されてもよい。理解されるように、プロジェクタ１０８は、プロジェクタが使用されている間だけ開口１０８に挿入され、その後取り外されてもよい。プロジェクタ１０６はまた、使用のために開口１０８内に挿入され、保管のために開口１０８内に留まることができる。
【００３４】
図１に戻ると、ホルダは、ユーザがプロジェクタを操作することを可能にするための１つ又は複数のボタンを含み得る。ある実施形態では、ホルダ上のボタンはプロジェクタ上のボタンである。例えば、ホルダは、ユーザがそれを通してプロジェクタ上のボタンにアクセスすることができる１つ又は複数の開口を含むことができる。プロジェクタとホルダとが一体的に形成されている１つのそのような例では、プロジェクタのボタンが配置されている場所を除いて、ホルダを形成するのに使用される材料（例えば、シリコーン又はゴム材料）でプロジェクタを覆うことができる。他の実施形態では、ホルダは、プロジェクタ上のボタンに対応し且つそれと相互作用するボタンを含み得る。例えば、ホルダは、ユーザがホルダボタンを押すとプロジェクタボタンを起動する（例えば、プロジェクタボタンを押す）シリコーン又はゴム製のボタンを含むことができる。
【００３５】
ある実施形態では、図１及び図５に示されるように、ホルダは、ユーザがプロジェクタをオン及びオフにすることを可能にするための電源ボタン１１６を含み得る。ある実施形態において、ホルダ１００はまた、ユーザが投影されている画像の向きを回転させることを可能にする回転画像ボタン１１８を含み得る。例えば、ユーザがホルダを逆さまの位置で物体に取り付ける実施形態では、ユーザは、画像が所望の向き（例えば、右側を上にして）で表示されるまで回転画像ボタンを押すことができる。理解されるように、電源ボタン及び回転画像ボタンの両方がホルダの上面に示されているが、他の実施形態では、これらのボタンはホルダの別の適切な面又は部分に位置付けられてもよい。
【００３６】
ある実施形態では、図６に示されるように、ホルダは、キーストン補正ボタン１２０を有し得る。そのような実施形態では、キーストン補正ボタンは、投影された画像をそれが長方形に見えるようにゆがめるために使用され得る。このような調整は、画像が投影されている表面の水平中心線に対してプロジェクタが垂直に配置されていないときに実行され得る。ある実施形態では、図６に示されるように、キーストン調整ボタン１２０は本体１０２の前面に配置されてもよい。例えば、キーストン調整ボタン１２０は、それを通して画像が表面１２４に表示される（図４参照）レンズ／レーザプロジェクタアイ１２２の隣に配置されてもよい。理解されるように、キーストン調整ボタン１２２は他の実施形態ではホルダの別の適切な面に配置されてもよい。
【００３７】
次に図７を参照する。図７は、一実施形態によるプロジェクタホルダの背面を示す。この図に示されるように、プロジェクタホルダは、周辺機器をホルダ（及びプロジェクタ）に接続するための１つ又は複数のポートを含み得る。ボタンと同様に、ホルダポートもプロジェクタのポートとすることができるが、ホルダポートもプロジェクタのポートに対応して相互作用する別々のポートとすることができる。ある実施形態では、プロジェクタホルダは、プロジェクタをスマートデバイス（例えば、スマートフォン又は電子書籍リーダ）、コンピュータ及び／又はバッテリチャージャ（例えば、バッテリパック又は電源アダプタ）などの周辺機器に接続するためのＵＳＢポート１２６及び／又はライトニングケーブルポート１２８を含むことができる。例えば、図４は、ＵＳＢポート１２６に接続されたＵＳＢケーブル１２５を介してスマートフォン１３０に接続されているプロジェクタホルダ１００を示している。別の例として、図８は、プロジェクタを充電するためにＵＳＢケーブル１２５及びＵＳＢポート１２６を介してバッテリパック１３２に接続されたプロジェクタホルダ１００を示す。理解されるように、ＵＳＢポート及びライトニングケーブルポートだけが図７に示されているが、ホルダはプロジェクタを周辺機器に接続するのに適した他のポートを含むことができる。ホルダはまた、現在知られているか又は将来開発される通信プロトコルをサポートするための他のポートを含み得る。他の実施形態と同様に、ポートはプロジェクタホルダの背面に示されているが、ポートはプロジェクタの任意の適切な面に配置されてもよい。
【００３８】
プロジェクタホルダ１００は、周辺機器をプロジェクタホルダ（及びプロジェクタ）に有線接続するための１つ又は複数のポートを備えて示されているが、周辺機器はホルダに無線接続することもできることは理解されよう。例えば、１つ又は複数の周辺機器をBluetooth（登録商標）又は他の適切な無線接続（Wi-Fi（登録商標）又はＬｉ−Ｆｉ接続など）を介してホルダ（及びプロジェクタ）に接続することができる。
【００３９】
理解されるように、プロジェクタホルダ１００は、プロジェクタを操作するための他の適切なボタン及び／又はポートを含み得る。例えば、ホルダは、ユーザがプロジェクタの明るさ及び／又は彩度を調整することを可能にするボタンを含み得る。ホルダはまた、状態（例えば、プロジェクタの又は環境の）を感知し、プロジェクタを動作させるためにデータをホルダ（及びプロジェクタ）に送り返す１つ又は複数のセンサを含み得る。例えば、プロジェクタホルダ１００は、周囲光の状態を検出することができる周囲光センサ（図示せず）を含むことができる。そのような例では、プロジェクタは、感知された周囲光に応答して画像の明るさ及び／又は彩度を自動的に調整するように構成されてもよい。
【００４０】
次に図９を参照する。図９は、プロジェクタの内部に収容され得る電気部品の例示的配置を示す。理解されるように、部品は、図９に示される順序どおりでなく、任意の順序で配置されてもよい。さらに理解されるように、プロジェクタは、他の実施形態において追加の又は代替の部品を含み得る。
【００４１】
ある実施形態では、図９に示すように、プロジェクタは、プロジェクタアイ／レンズ１２２を介して可視光を投影する投影ユニット１３４を含むことができる。プロジェクタはまた、モデム１３６、バッテリ１３８、及び１つ又は複数の周辺機器と接続するための１つ又は複数のポート１４０（例えば、ＵＳＢポート）を含むことができる。ある実施形態において、モデム１２６は、送信のための情報（例えば、デジタル情報）を受信し変調するように構成される。
【００４２】
ある実施形態では、バッテリ１３８は、約１時間〜約４時間の間プロジェクタ１０５に電力を供給するように構成することができる。例えば、バッテリ１３８はプロジェクタを約１．５時間動作させることを可能にし得る。理解されるように、バッテリは、使い捨てであり得るか、又は再利用可能であり得る。バッテリが再利用可能である実施形態では、バッテリは、ホルダをバッテリパック（例えば、図８参照）又は電源アダプタに差し込むことによって充電されてもよく、電源アダプタはその後電源コンセントに差し込まれる。そのような実施形態では、ホルダ１００は、ＵＳＢケーブル又はライトニングケーブル及びそれぞれのポート１２６、１２８のうちの１つを介してバッテリチャージャに接続され得る。充電式バッテリはまた、バッテリパック１３２との接触又は近接により充電され得る。例えば、バッテリパックは（例えば、バッテリパック上の１つ又は複数の柔軟な付属物を介して）ホルダに取り付けることができる。
【００４３】
ある実施形態では、本体は、耐水性又は防水性材料、又はプロジェクタを保護するために耐水性又は防水性になるように処理された材料を含む。例えば、一実施形態では、本体は、シリコーン、ゴム、ＰＶＣ、又はワックスから、或いはＰＶＣ、ポリウレタン、ゴム、シリコーンエラストマー、フルオロポリマー及び／又はワックスで処理（例えば、積層又はコーティング）された材料から形成されてもよい。他の防水性又は耐水性材料及び／又は処理を使用することもできる。
【００４４】
ある実施形態において、ホルダは耐衝撃性であるように構成される。例えば、本体は、ホルダを落とした場合にプロジェクタを損傷から保護する材料から形成することができる。理解されるように、ある実施形態では、胴体のみが耐衝撃性材料から形成され、他の実施形態では、胴体及び付属物が耐衝撃性材料から形成される。耐衝撃性のあるいくつかの材料は、シリコーン、ゴム、ＥＶＡ、発泡体、又は他の適切な材料を含む。
【００４５】
ある実施形態では、胴体１０３及び付属物１０４は、同じ材料又は材料の組み合わせから形成される。例えば、付属物１０４と胴体１０３の両方を柔軟で耐衝撃性のある材料から形成することができる。例えば、付属物及び胴体は両方とも、シリコーン又はゴム材料から形成されてもよい。他の実施形態では、付属物は胴体とは異なる材料で形成される。例えば、付属物は柔軟な（そして場合によっては耐衝撃性のある）材料から形成され、一方胴体は耐衝撃性があるだけの材料から形成される。
【００４６】
ある実施形態では、ホルダはヒートシンクとして機能し、プロジェクタによって発生した熱を放散するように構成される。ある実施形態では、例えば、熱を放散させるために、１つ又は複数のワイヤ１１（例えば、銅線）がプロジェクタの周囲及び／又は付属物の中に延在する。例えば、図１を参照のこと。図１では、ワイヤ１１１はプロジェクタの周囲及び各付属物の中に延びた状態で示されている。理解されるように、他の種類の金属（例えば、ワイヤ）、又は他の適切なヒートシンクを本体内に配置することができる。
【００４７】
ある実施形態において、ホルダは動物の形状に形成され得る。そのような実施形態では、付属物は動物の肢又は他の末端に対応し得る。例えば、図１に示すように、本体１０２は、４本の肢（例えば、腕及び脚）及び尾を有するサルの形状であり得る。理解されるように、本体１０２は、キリン、ライオン、トラ、クマ、恐竜、トカゲ、魚、タコ、又は他の野生動物若しくは家畜などの他の動物の形状にも形成され得る。図１には示されていないが、本体はまた、動物の頭部（例えば、サルの頭部）に対応する付属物を含み得る。
【００４８】
理解されるように、ホルダは任意の適切な色又は色の組み合わせであり得る。ある実施形態では、色又は色の組み合わせは本体の動物の形状に対応する。例えば、本体がサルの形状である実施形態では、本体は茶色であり得る。
【００４９】
ある実施形態では、ホルダの外側はまた、ホルダの動物の形状に対応する１つ又は複数の装飾的特徴を含む。例えば、付属物は手及び足を有し得る。別の例では、動物がサルである場合、手の一方がバナナを握っていてもよい。
【００５０】
別の実施形態によれば、ホルダは表面上に画像を表示するために使用されるキットの一部である。そのような実施形態では、キットは、埋め込み型プロジェクタを有するホルダと、ＵＳＢ及び／又はライトニングケーブルと、を含み得る。理解されるように、ケーブルは任意の適切な長さであり得る。例えば、ケーブルの長さは３〜１２フィートであり得る。例えば、ケーブルの長さは７フィートであり得る。ある実施形態において、キットはまた、図８に示されるバッテリパックなどのバッテリチャージャ又は電源アダプタを含み得る。
【００５１】
別の実施形態によれば、図１０に示すように、表面上に画像を表示するためにホルダを物体上に配置するか又は取り付ける方法２００が開示されている。ある実施形態では、この方法は、１つ又は複数の付属物を操作及び変形すること２５０と、ホルダを物体上に配置すること２５２とを含む。理解されるように、ホルダは、付属物を最初に操作及び変形することなく物体上に配置されてもよい２５２。他の実施形態では、方法は、ホルダを物体に取り付けるために（例えば、物体の外側に対してホルダを保持するために）１つ又は複数の付属物を操作及び変形すること２５４を含む。そのような実施形態では、１つ又は複数の付属物を操作することは、付属物を第１構成から異なる第２構成に変形させるために付属物を真っ直ぐにする、曲げる、湾曲させる、ねじる、又は他の方法で移動することのうちの１つを含む。理解されるように、各付属物は異なる方法で操作され変形されてもよく、異なる第２構成を有してもよい。例えば、ある付属物が曲げられ得る一方で別の付属物は真っ直ぐにされる。
【００５２】
いったんホルダが物体に取り付けられるか又は物体上に配置されると、方法は、有線又は無線接続を介して周辺機器（例えば、スマートフォン）を接続すること２５６、及び電源ボタンを押してプロジェクタをオンにすること２５８を含み得る。理解されるように、他の実施形態では、プロジェクタはリモートコントロールを介してオンにされてもよい。方法はまた、プロジェクタを調整するために１つ又は複数のホルダボタンを押すこと２６０を含み得る。例えば、方法は、画像を調整するためにキーストン調整ボタンを押すこと、及び／又は画像が直立した向きに置かれるように画像を回転するべく回転画像ボタンを押すことを含み得る。
【００５３】
別の実施形態によれば、ホルダを製造する方法３００が開示されている。ある実施形態では、図１１に示すように、この方法は、１つ又は複数の柔軟な付属物３６２と、プロジェクタを挿入することができる開口と、を有する本体を形成することを含む。理解されるように、プロジェクタは、製造中及び／又はその後ユーザ３６４によって開口に挿入することができる３６４。このような実施形態では、本体はシリコーン又はゴム材料を型に流し込むことによって形成することができる。他の実施形態では、図１２に示すように（ここではプロジェクタはホルダと一体的に形成されている）、方法は、１つ又は複数の柔軟な付属物と、本体内に少なくとも部分的に配置されたプロジェクタと、を有する本体を形成すること３６６を含む。ある実施形態では、この方法は、プロジェクタを型の中に配置することと、シリコーン又はゴム材料を型内及びプロジェクタの周囲に流し込むこととを含む。他の実施形態では、方法は、１つ又は複数の柔軟な付属物を有する本体が形成されるまで、浸漬すること又は他の方法でプロジェクタの外側にシリコーン又はゴム材料を（例えば、層ごとに堆積することによって）塗布することを含み得る。
【００５４】
ある実施形態では、方法は、シリコーン又はゴム材料を塗布する前に、プロジェクタの周りに、及びある実施形態ではプロジェクタから１つ又は複数の付属物まで外向きに１つ又は複数の銅線を巻き付けることを含み得る。理解されるように、ある実施形態では、銅線は１つ又は複数の付属物の内部構造を画定するために使用され得る一方、プロジェクタは、胴体の内部を画定するために使用され得る。
【００５５】
本教示を様々な実施形態及び実施例と併せて記載してきたが、本教示がそのような実施形態又は実施例に限定されることは意図しない。それどころか、本教示は、当業者には理解されるように、様々な代替形態、修正形態、及び均等物を包含する。したがって、前述の記載及び図面は例にすぎない。
【００５６】
本発明の様々な態様は、単独で、組み合わせて、又は前述の実施形態で具体的に考察されていない様々な構成で使用することができ、したがってその使用において前述の又は図面に示される構成要素の詳細及び構成に限定されない。例えば、一実施形態に記載の態様は、他の実施形態に記載の態様と任意の方法で組み合わせることができる。
【００５７】
また、本発明は方法として具現化することができ、その例が提供された。方法の一部として実行される行為は、任意の適切な方法で順序付けられてもよい。したがって、例示的な実施形態において連続的な行為として示されているとしても、いくつかの行為を同時に実行することを含み得る、示されているのとは異なる順序で行為が実行される実施形態が構成されてもよい。
【００５８】
クレーム要素を部分的に変更するクレーム中の「第１」、「第２」、「第３」等などの序数用語の使用は、それ自体では、あるクレーム要素の別のクレーム要素を上回る優先度、優先順位、若しくは順序、又は方法の行為が実行される時間的順番を含意せず、クレーム要素を区別するために、ある名前を持つ１つのクレーム要素を、（序数用語の使用を除いて）同じ名前を持つ別の要素と区別するための単なる標示として使用される。
【００５９】
また、本明細書で使用されている表現及び用語は説明を目的としており、限定と見なされるべきではない。本明細書における「含む（including）」、「含む（comprising）」、又は「有する（having）」、「含有する（containing）」、「伴う（involving）」、及びそれらの変形の使用は、その後に列挙される項目及びその均等物、並びに追加の項目を包含することを意味する。
【図１】
2020201519.tif 000003
【図２】
2020201519.tif 000004
【図３】
2020201519.tif 000005
【図４】
2020201519.tif 000006
【図５】
2020201519.tif 000007
【図６】
2020201519.tif 000008
【図７】
2020201519.tif 000009
【図８】
2020201519.tif 000010
【図９】
2020201519.tif 000011
【図１０】
2020201519.tif 000012
【図１１】
2020201519.tif 000013
【図１２】
2020201519.tif 000014
【手続補正書】
【提出日】令和2年10月15日(2020.10.15)
【手続補正１】
【補正対象書類名】特許請求の範囲
【補正対象項目名】全文
【補正方法】変更
【補正の内容】
【特許請求の範囲】
【請求項１】
装置であって、
１つ又は複数の柔軟な付属物と、プロジェクタの少なくとも一部を受け入れるように配置された開口と、前記開口の周囲に延び、かつ、前記１つ又は複数の柔軟な付属物内に延びる１つ又は複数のワイヤと、を有し、前記１つ又は複数の柔軟な付属物は、物体の外側に前記装置を取り付けるか又は前記装置を配置するために第１構成から第２構成に操作及び変形の少なくとも一方がなされるように配置され、前記１つ又は複数のワイヤがヒートシンクである、本体を備える装置。
【請求項２】
前記１つ又は複数の柔軟な付属物が、曲折、ねじれ、巻き付き、湾曲及び直線化のうちの１つ又は複数を介して操作されるように適合される、請求項１に記載の装置。
【請求項３】
前記第１構成が前記第２構成と異なる、請求項１に記載の装置。
【請求項４】
前記本体がシリコーン及びゴム材料の少なくとも一方から形成される、請求項１に記載の装置。
【請求項５】
前記１つ又は複数のワイヤが銅線を含む、請求項１に記載の装置。
【請求項６】
前記１つ又は複数のワイヤが前記プロジェクタの周囲に延び、プロジェクタと組み合わせられる、請求項１に記載の装置。
【請求項７】
前記本体が動物の形状で形成される、請求項１に記載の装置。
【請求項８】
前記動物が、サル、キリン、トラ、ライオン、恐竜、魚及びタコのうちの少なくとも１つである、請求項７に記載の装置。
【請求項９】
前記本体が、防水性又は耐水性の材料から、或いは防水性又は耐水性になるように処理された材料から形成される、請求項１に記載の装置。
【請求項１０】
前記本体が耐衝撃性の材料から形成される、請求項１に記載の装置。
【請求項１１】
前記装置が、前記装置を１つ又は複数の周辺機器に接続するための１つ又は複数のポートを含む、請求項１に記載の装置。
【請求項１２】
前記装置が、前記プロジェクタの動作を制御するための１つ又は複数のボタンを含む、請求項１に記載の装置。
【請求項１３】
前記１つ又は複数のボタンが、電源ボタン、キーストン調整ボタン及び回転画像ボタンのうちの１つを含む、請求項１２に記載の装置。
【請求項１４】
前記プロジェクタが、前記開口内に取り外し可能に受け入れられ、プロジェクタと組み合わせられる、請求項１に記載の装置。
【請求項１５】
装置を製造する方法であって、
１つ又は複数の柔軟な付属物と、プロジェクタの少なくとも一部を受け入れるように配置された開口と、前記開口の周囲に延び、かつ、前記１つ又は複数の柔軟な付属物内に延びる１つ又は複数のワイヤと、を有し、前記１つ又は複数の柔軟な付属物は、物体の外側に前記装置を配置するか又は前記装置を取り付けるために第１構成から第２構成に操作及び変形の少なくとも一方がなされるように配置され、前記１つ又は複数のワイヤがヒートシンクである、本体を有するように前記装置を形成することを含む方法。
【請求項１６】
前記装置を形成することは、柔軟な材料を型の中に流し込むことを含む、請求項１５に記載の方法。
【請求項１７】
前記柔軟な材料を型の中に流し込むことは、シリコーン及びゴム材料のうちの少なくとも一方を前記型の中に流し込むことを含む、請求項１６に記載の方法。
【請求項１８】
前記装置を形成することは、１つ又は複数の銅線によって前記装置を形成することを含む、請求項１５に記載の方法。
【請求項１９】
１つ又は複数の柔軟な付属物と、プロジェクタの少なくとも一部を受け入れるように適合された開口と、前記開口の周囲に延び、かつ、前記１つ又は複数の柔軟な付属物内に延びる１つ又は複数のワイヤと、を有し、前記１つ又は複数のワイヤはヒートシンクであり、前記１つ又は複数の柔軟な付属物は、物体の外側に前記装置を取り付けるか又は前記装置を配置するために第１構成から第２構成に操作及び変形の少なくとも一方がなされるように適合される、本体を有する装置を提供することを含む方法。
【請求項２０】
前記第１構成が前記第２構成と異なる、請求項１９に記載の方法。
【請求項２１】
前記１つ又は複数のワイヤが銅線を含む、請求項１９に記載の方法。
【請求項２２】
装置であって、
物体上に前記装置を取り付ける又は前記物体上に前記装置を配置するように構成された複数の柔軟な付属物を含む本体と、
前記本体内に少なくとも部分的に配置されて、前記本体の開口内に取り外し可能に受け入れられるプロジェクタであって、表面上に可視光を投影するように構成されたプロジェクタと、を備え、
前記本体は、前記プロジェクタの動作を制御するための少なくとも１つのコントロールを含む、装置。
【請求項２３】
前記少なくとも１つのコントロールが、前記装置の周囲の環境条件を感知するためのセンサを含む、請求項２２に記載の装置。
【請求項２４】
前記環境条件は、前記装置の周囲の周囲光の量に関する、請求項２３に記載の装置。
【請求項２５】
前記少なくとも１つのコントロールは、前記装置の周囲の周囲光の量の感知に応答して、前記プロジェクタによって投影された可視光の明るさ及び彩度のうちの少なくとも一方を自動的に調整するように構成される、請求項２４に記載の装置。
【請求項２６】
前記少なくとも１つのコントロールは、ボタン、及び、前記プロジェクタに周辺機器を接続するために使用可能なポートのうちの少なくとも一方を含む、請求項２２に記載の装置。
【請求項２７】
１つ又は複数のワイヤが、前記本体内に配置され、前記プロジェクタの少なくとも一部の周囲に延び、かつ、前記複数の柔軟な付属物のうちの１つ内に延び、前記１つ又は複数のワイヤがヒートシンクである、請求項２２に記載の装置。
【請求項２８】
装置であって、
本体と、
前記本体内に少なくとも部分的に配置され、かつ、前記本体の開口内に取り外し可能に受け入れられるプロジェクタであって、表面上に可視光を投影するように構成されたプロジェクタと、を備え、
前記本体は、物体上に前記装置を取り付ける又は前記物体上に前記装置を配置するために使用可能な複数の柔軟な付属物を含み、前記複数の付属物は第１付属物及び第２付属物を含み、前記第１付属物は第１方法で変形可能であり、前記第２付属物は、前記第１方法とは異なる第２方法で変形可能であり、
前記本体は、前記プロジェクタの動作を制御するための少なくとも１つのコントロールを含む、装置。
【請求項２９】
前記第１方法が、曲折、ねじれ、巻き付き、湾曲及び直線化から構成される群のうちの１つであり、前記第２方法が前記群のうちの別の１つである、請求項２８に記載の装置。
【請求項３０】
前記少なくとも１つのコントロールが、前記装置の周囲の環境条件を感知するためのセンサを含む、請求項２８に記載の装置。
【請求項３１】
前記環境条件は、前記装置の周囲の周囲光の量に関する、請求項３０に記載の装置。
【請求項３２】
前記少なくとも１つのコントロールは、前記装置の周囲の周囲光の量の感知に応答して、前記プロジェクタによって投影された可視光の明るさ及び彩度のうちの少なくとも一方を自動的に調整するように構成される、請求項３１に記載の装置。
【請求項３３】
前記少なくとも１つのコントロールは、ボタン、及び、前記プロジェクタに周辺機器を接続するために使用可能なポートのうちの少なくとも一方を含む、請求項２８に記載の装置。
【請求項３４】
１つ又は複数のワイヤが、前記本体内に配置され、前記プロジェクタの少なくとも一部の周囲に延び、かつ、前記複数の柔軟な付属物のうちの１つ内に延び、前記１つ又は複数のワイヤがヒートシンクである、請求項２８に記載の装置。                                                                             
【外国語明細書】
2020201519000001.pdf